(57)【特許請求の範囲】
【請求項１】
給油エリア上方に複数のホース処理ケースを設け、一端部に給油ノズルを取り付け、他端部が前記ホース処理ケース内に導入されたハイオクガソリン、レギュラーガソリン及び軽油の３本の給油管に接続されて流量パルス発信器及び給油ポンプに連通された３本の給油ホースを、該ホース処理ケースからそれぞれ吊り下げるとともに、それぞれの給油ノズルによる給油開始・終了判断を行うスイッチを設けた懸垂式給油装置の表示器において、
前記表示器は、ドット式の表示器からなるとともに前記各ホース処理ケースの１台に対応して１個づつ設けられ、前記スイッチのうちの１つから給油開始信号が入力されて、該スイッチに対応する前記３本の給油ホースのうちの１本で給油するときには、該給油ホースに連通される流量パルス発信器からの信号を計数して前記表示器の全画面に１つの給油データを表示し、前記スイッチのうちの２つから給油開始信号が入力されて、該２つのスイッチに対応する前記複数本の給油ホースのうちの２本で給油するときには、該２本の給油ホースにそれぞれ連通される流量パルス発信器からの信号をそれぞれ計数して前記表示器の表示画面の全画面を２つに分割した画面にそれぞれ給油データを表示し、かつ給油が行われていない状態で給油データが入力されないときには、情報記憶装置に記憶した誘導や宣伝広告情報を読み出して表示する制御を行う表示制御装置を有することを特徴とする懸垂式給油装置の表示器。
【発明の詳細な説明】
【０００１】
【産業上の利用分野】
本発明は、自動車等に燃料を供給する給油所における懸垂式給油装置の表示器に関するものである。
【０００２】
【従来の技術】
給油所に設置される給油装置には、給油エリアの上方に設けられたキャノピイに吊り下げられたホース処理ケースから、先端に給油ノズルを設けた給油ホースを懸垂した懸垂式給油装置が用いられている。これらの給油装置では、例えば、１つのホース処理ケースからハイオクタンガソリン、レギュラーガソリン及び軽油用の３本の給油ホースを懸垂し、それぞれの油種を給油できるようになっている。
【０００３】
【発明が解決しようとする課題】
しかしながら、かかる従来の給油装置において、給油量等を表示する表示器は、１つのホース処理ケースから１油種を給油する場合には給油データは１つの表示で良いが、１つのホース処理ケースから、例えば、レギュラーガソリンと軽油の２つの油種を同時に２本の給油ホースを使って給油する場合には、１つのホース処理ケースに対して１個の表示器を有するときには１油種の給油データしか表示できない。したがって、同時に２つ油種の給油データの表示をするためには油種ごとに表示器を設けなければならず、場所を要し費用がかかる欠点があった。なお、出願人は、特開平１−２９４４９１号公報において、複数の給油機構と、これらの給油機構の給油量の同時表示が可能でかつ表示をする給油機構の個数が増す毎に各給油機構の表示部が小さく変化する１つのドット式表示器に関する技術を開示している。
【０００４】
そこで本発明は、表示をさらに見易くすると共に注意を引く表示により集客力を増すことができる給油装置の表示器を提供することを目的とする。
【０００５】
【課題を解決するための手段】
上記目的を達成するために、本発明の懸垂式給油装置の表示器は、給油エリア上方に複数のホース処理ケースを設け、一端部に給油ノズルを取り付け、他端部が前記ホース処理ケース内に導入されたハイオクガソリン、レギュラーガソリン及び軽油の３本の給油管に接続されて流量パルス発信器及び給油ポンプに連通された３本の給油ホースを、該ホース処理ケースからそれぞれ吊り下げるとともに、それぞれの給油ノズルによる給油開始・終了判断を行うスイッチを設けた懸垂式給油装置の表示器において、前記表示器は、ドット式の表示器からなるとともに前記各ホース処理ケースの１台に対応して１個づつ設けられ、前記スイッチのうちの１つから給油開始信号が入力されて、該スイッチに対応する前記３本の給油ホースのうちの１本で給油するときには、該給油ホースに連通される流量パルス発信器からの信号を計数して前記表示器の全画面に１つの給油データを表示し、前記スイッチのうちの２つから給油開始信号が入力されて、該２つのスイッチに対応する前記複数本の給油ホースのうちの２本で給油するときには、該２本の給油ホースにそれぞれ連通される流量パルス発信器からの信号をそれぞれ計数して前記表示器の表示画面の全画面を２つに分割した画面にそれぞれ給油データを表示し、かつ給油が行われていない状態で給油データが入力されないときには、情報記憶装置に記憶した誘導や宣伝広告情報を読み出して表示する制御を行う表示制御装置を有することを特徴とするものである。
【０００６】
【作用】
本発明の給油装置の表示器によれば、アイランド上方のホース処理ケースから先端に給油ノズルを設けた複数本の給油ホースを吊り下げた懸垂式給油装置において、１本の給油ノズルのみで給油するときは通常の表示器と同様に表示画面の全面に１つの給油データが大きく表示され、２本以上の給油ノズルから同時に給油するときは給油される２つ以上の給油データが表示画面の左右または上下方向に分割され、かつカラー表示器の場合には色分けして表示されることで、１つの表示器で同時に２油種以上の給油データの表示を見易くできると共に注意を引く表示により集客力を増すことができる。
【０００７】
【実施例】
以下、本発明を図示の一実施例により具体的に説明する。図１は本発明実施例給油装置の表示制御装置の構成を説明するブロック図、図２は本発明実施例の給油装置の表示器を設けた給油所の斜視図である。
【０００８】
これらの図において、給油所敷地の給油エリア１上方にはキャノピイ２が設けられ、このキャノピイ２から、例えば、４台のホース処理ケース１１，…が吊り下げられている。各ホース処理ケース１１，…は、それぞれ一端部に給油ノズル１３ａ，１３ｂ，１３ｃを設けたハイオクタンガソリン、レギュラーガソリン及び軽油用の３本の給油ホース１２ａ，１２ｂ，１２ｃが吊り下げられている。これらの給油ホース１２ａ，１２ｂ，１２ｃの他端部は、ホース処理ケース１１内に導入された給油管に接続され、各給油管は給油パルス発信器を備えた流量計、給油ポンプを介して地下タンクに連通されている。ホース処理ケース１１内には、懸垂した各給油ホース１２ａ，１２ｂ，１２ｃを昇降させるためのホース昇降装置が設けられ、各給油ノズル１３ａ，１３ｂ，１３ｃの近傍には昇降スイッチ１４ａ，１４ｂ，１４ｃが設けられている。
【０００９】
また、建物４の正面側の壁面５には、各ホース処理ケース１１，…の１台に対応して１個づつの表示器２１が取り付けられている。この表示器２１は、例えば赤色単色または赤、緑、青を発光する複数の発光ダイオード（ＬＥＤ）等からなる発光体をマトリックス状に配置して色彩表示ができるものであり、表示は後述する表示器制御装置２５により制御されている。
【００１０】
表示制御装置２２は、レギュラーガソリン及びハイオクタンガソリンの給油制御装置（以下ＲＨ給油制御装置という）２３と、軽油給油制御装置２４と、表示器制御装置２５と、誘導や宣伝広告等の情報を格納した情報記憶装置２６等とからなる。なお、レギュラーガソリンとハイオクタンガソリンについては、２つの油種を１つの給油制御装置により、軽油については単独で１つの給油制御装置により制御しているが、ハイオクタンガソリンとレギュラーガソリンのそれぞれの給油制御装置に設けることもできる。
【００１１】
ＲＨ給油制御装置２３は、レギュラーガソリンの給油開始・終了信号を出力するＲ給油開始・終了信号出力手段２７及びハイオクタンガソリンの給油開始・終了信号を出力するＨ給油開始・終了信号出力手段２８からの信号と、レギュラーガソリンの流量パルスを出力するＲ流量パルス発信器２９及びハイオクタンガソリンの流量パルスを出力するＨ流量パルス発信器３０からの信号が入力される。Ｒ給油開始・終了信号出力手段２７及びＨ給油開始・終了信号出力手段２８は、例えば、それぞれ昇降スイッチ１４ａ及び１４ｂであり、そのオン・オフ信号が給油開始・終了信号として出力される。また、軽油給油制御装置２４は、軽油給油開始・終了信号を出力する軽油給油開始・終了信号出力手段３１からの信号と、軽油の流量パルスを出力する軽油流量パルス発信器３２からの信号が入力される。軽油給油開始・終了信号出力手段３１は、例えば、昇降スイッチ１４ｃであり、そのオン・オフ信号が給油開始・終了信号として出力される。そして、ＲＨ給油制御装置２３及び軽油給油制御装置２４で計数された給油量計数信号と、情報記憶装置２６の宣伝情報とが表示器制御装置２５に入力され、ここから表示器２１に表示信号が出力される。
【００１２】
次に、表示制御装置２２による表示動作及び表示例を具体的に説明する。図３は本発明実施例のＲＨ給油制御装置の動作を説明するフローチャート、図４は本発明実施例の軽油給油制御装置の動作を説明するフローチャート、図５は本発明実施例の表示器制御装置の表示動作を説明するフローチャート、図６は本発明実施例の表示器による誘導表示を示す図、図７は本発明実施例の表示器による単独給油の表示を示す図、図８は本発明実施例の表示器による同時給油の表示を示す図、図９は本発明実施例の表示器による同時給油の給油金額の表示を示す図である。
【００１３】
まず、図３に示すように、ＲＨ給油制御装置２３においては、レギュラーガソリンの給油開始信号が入力されてレギュラーガソリンの給油が開始するか、あるいはハイオクタンガソリンの給油開始信号が入力されてハイオクタンガソリンの給油が開始されたとき（ＳＴ１，ＳＴ２）、それぞれレギュラーガソリン表示信号、あるいはハイオクタンガソリン表示信号が表示器制御装置２５に出力され（ＳＴ３，ＳＴ４）所定の表示が行われる。次に、給油が終了して（ＳＴ５）から、例えば、３０秒程度の一定時間が経過する（ＳＴ６）前に別の車が来てレギュラーガソリンの給油が開始するか、あるいはハイオクタンガソリンの給油が開始されたとき（ＳＴ７，ＳＴ８）、それぞれの表示信号が表示器制御装置２５に出力されるが、一定時間が経過する前に次の給油操作が行われない場合には表示信号が停止（ＳＴ９）して最初の状態に戻る。
【００１４】
一方、図４に示すように、軽油給油制御装置２４においては、軽油の給油開始信号が入力されて軽油の給油が開始されたとき（ＳＴ１１）、軽油表示信号が表示器制御装置２５に出力され（ＳＴ１２）所定の表示が行われる。次に、給油が終了して（ＳＴ１３）から、一定時間が経過する（ＳＴ１４）前に別の車が来て軽油の給油が開始されたとき（ＳＴ１５）、軽油表示信号が表示器制御装置２５に出力されるが、一定時間が経過する前に次の給油操作が行われない場合には表示信号が停止（ＳＴ１６）して最初の状態に戻る。
【００１５】
次に、図５に示すように、表示器制御装置２５においては、まず、給油が行われていない状態で、ＲＨ給油制御装置２３及び軽油給油制御装置２４から表示信号が入力されないときには、情報記憶装置２６から読み出された誘導情報や宣伝広告情報が表示器２１に表示される。例えば、図６に示すように、図形とともに「いらっしゃいませ」等の誘導表示が表示される。次に、いずれか１つの給油が開始され表示信号が入力すると（ＳＴ２２）、表示器２１は第１の表示状態となり、全表示画面に給油データが大きく表示される（ＳＴ２３）。例えば、レギュラーガソリンだけが給油されているときには、図７に示すように、表示器２１の全表示画面に給油量の「３４．５６Ｌ］」と「レギュラー満」等が表示される。なお、表示は、カラー表示器の場合油種に応じて異なる色彩で表示される。次に、レギュラーガソリンあるいはハイオクタンガソリンと軽油とが同時給油となり、両方から表示信号が入力すると（ＳＴ２４）、表示器２１は第２の表示状態になり、表示画面を左右または上下に等分割し、それぞれに給油データが色分けされて表示される（ＳＴ２６）。例えば、左右分割の場合ハイオクタンガソリンと軽油が同時給油されているときには、図８に示すように、表示画面の左側には赤色でハイオクタンガソリンの給油データ「２３．４５Ｌ」とその下に油種情報がスクロール表示され、右側には青色で軽油の給油データ「７８．９０Ｌ」とその下に油種情報がスクロール表示される。また、例えば、レギュラーガソリンと軽油が同時給油され、給油完了したときには、図９に示すように、表示画面の左側の上部に税込みの給油金額「２７０８円」、その中央に給油量「２５．０３Ｌ」と税込み前の給油金額「２６２９円」、その下部に油種情報や単価情報がスクロール表示され、表示画面の右側の上部に税込みの給油金額「２６７５円」、その中央に給油量「３７．１０Ｌ」と税込み前の給油金額「２５７９円」、その下部に油種情報や単価情報がスクロール表示される。そして、そして、給油が終了して、どちらかも表示信号が入力しなくなると（ＳＴ２５）、表示器２１は再び最初の情報表示の状態に戻る（ＳＴ２１）。また、同時給油の状態で（ＳＴ２５，２６）、一方の給油が終了したときには（ＳＴ２２）、第１の表示状態となり、他方の給油中の油種の給油データが全表示画面に表示される。
【００１６】
上記構成の給油装置の表示器では、アイランド上方のホース処理ケース１１から先端に給油ノズル１３を設けた複数本の給油ホース１２を吊り下げた懸垂式給油装置において、１本の給油ノズルのみで給油するときは表示器２１の表示画面全面に１つの給油データが大きく表示され、２本以上の給油ノズルから同時給油するときは給油される２つ以上の給油データが表示画面の左右に分割されて同時に表示されることで、１つの表示器２１で同時に２油種の給油データの表示が可能となり、油種ごとに表示器を設ける必要がなく設備費が低減でき、かつ油種により異なる色彩にして見易くすると共に注意を引く表示により集客力を増すことができる。さらに給油時以外には、誘導表示として利用できるなど多彩な表示機能を有するので各種の情報表示が可能であり、また、将来のセルフ給油に対応しやすい利点がある。
【００１７】
なお、上記実施例において、ハイオクタンガソリンあるいはレギュラーガソリンと軽油とを同時に給油する場合について説明したが、これらの油種あるいは同時給油の組み合わせに限定されない。
【００１８】
また、昇降スイッチ１４を設けた給油装置を例に説明したが、アイランド上に給油ユニットを立設し、この給油ユニットに給油ノズルを掛けるノズル掛けとノズル掛けスイッチを設け、ノズル掛けスイッチに給油ノズルをノズル掛けから外したときにＲＨ給油制御装置３５または軽油給油制御装置３６に給油開始信号を出力し、ノズル掛けに掛けたときに給油終了信号を出力する出力手段を設けてもよい。
【００１９】
【発明の効果】
以上説明したように本発明の懸垂式給油装置の表示器によれば、１本の給油ノズルのみで給油するときは通常の表示器と同様に表示画面の全面に１つの給油データが大きく表示され、２本以上の給油ノズルから同時に給油するときは給油される２つ以上の給油データが表示画面の左右または上下方向に分割表示する。さらに、カラー表示の場合には色分けして表示されることで、１つの表示器で同時に２油種以上の給油データの表示を見易くできると共に注意を引く表示により集客力を増し設備費の低減を図ることができる。
【図面の簡単な説明】
【図１】本発明実施例給油装置の表示制御装置の構成を説明するブロック図である。
【図２】本発明実施例の給油装置の表示器を設けた給油所の斜視図である。
【図３】本発明実施例のＲＨ給油制御装置の動作を説明するフローチャートである。
【図４】本発明実施例の軽油給油制御装置の動作を説明するフローチャートである。
【図５】本発明実施例の表示器制御装置の表示動作を説明するフローチャートである。
【図６】本発明実施例の表示器による誘導表示を示す図である。
【図７】本発明実施例の表示器による単独給油の表示を示す図である。
【図８】本発明実施例の表示器による同時給油の左右分割の表示を示す図である。
【図９】本発明実施例の表示器による同時給油の給油金額の表示を示す図である。
【符号の説明】
１  給油エリア
２  キャノピィ
４  建物
５  壁面
１１  ホース処理ケース
１２  給油ホース
１３  給油ノズル
１４  ノズルスイッチ
２１  表示器
２２  表示制御装置
２３  ＲＨ給油制御装置
２４  軽油給油制御装置
２５  表示器制御装置
２６  情報記憶装置
２７  Ｒ給油開始・終了信号出力手段
２８  Ｈ給油開始・終了信号出力手段
２９  Ｒ流量パルス発信器
３０  Ｈ流量パルス発信器
３１  軽油給油開始・終了信号出力手段
３２  軽油流量パルス発信器
【図１】
0003601549.tif 000002
【図２】
0003601549.tif 000003
【図３】
0003601549.tif 000004
【図４】
0003601549.tif 000005
【図５】
0003601549.tif 000006
【図６】
0003601549.tif 000007
【図７】
0003601549.tif 000008
【図８】
0003601549.tif 000009
【図９】
0003601549.tif 000010